【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
ＭＰＥＧ（ｍｏｖｉｎｇ  ｐｉｃｔｕｒｅ  ｅｘｐｅｒｔ  ｇｒｏｕｐ）メディア伝送（ｍｅｄｉａ  ｔｒａｎｓｐｏｒｔ  ｐｒｏｔｏｃｏｌ、ＭＭＴＰ）ストリームをＭＰＥＧ−２伝送ストリーム（ｔｒａｎｓｐｏｒｔ  ｓｔｒｅａｍ、ＴＳ）に変換する方法であって、
ＭＭＴＰストリームのＭＭＴＰパケットに制限を適用するステップと、
プレゼンテーション時間及びデコーディング時間を協定世界時（ｃｏｏｒｄｉｎａｔｇｅｄ  ｕｎｉｖｅｒｓａｌ  ｔｉｍｅ、ＵＴＣ）ベースの絶対時間からプログラムクロック基準時間（ｐｒｏｇｒａｍ  ｃｌｏｃｋ  ｒｅｆｅｒｅｎｃｅ  ｔｉｍｅ、ＰＣＲ）ベースの値に変換するステップと、
仮想受信機バッファモデル（ｈｙｐｏｔｈｅｔｉｃａｌ  ｒｅｃｅｉｖｅｒ  ｂｕｆｆｅｒ  ｍｏｄｅｌ、ＨＲＢＭ）を使用してデータを追加又は除去することなくＭＰＥＧ−２  ＴＳ規則に基づいて前記ＭＭＴＰストリームを生成するステップと、
前記ＭＭＴＰパケットのフィールドの値に基づいてＴＳパケット層、アダプテーションフィールド及びパケット化エレメンタリストリーム（ｐａｃｋｅｔｉｚｅｄ  ｅｌｅｍｅｎｔａｒｙ  ｓｔｒｅａｍ、ＰＥＳ）パケットらのＭＰＥＧ−２  ＴＳパケットフィールドらの値らを決定するステップと、
を含む方法。
【請求項２】
前記ＭＭＴＰパケットに適用される制限は、メディアトラックデータ（ｍｅｄｉａ  ｔｒａｃｋ  ｄａｔａ）がコーデック初期化情報（ｃｏｄｅｃ  ｉｎｉｔｉａｌｉｚａｔｉｏｎ  ｉｎｆｏｒｍａｔｉｏｎ）を含む、請求項１に記載の方法。
【請求項３】
前記ＭＭＴＰパケットに適用される制限は、前記ＭＭＴＰパケットのｐａｃｋｅｔ＿ｉｄフィールドの値が０ｘ００１０〜０ｘ１ＦＦＥまでの値のうち１つであることを含む、請求項１に記載の方法。
【請求項４】
前記プレゼンテーション時間及び前記デコーディング時間を変換するステップは、プレゼンテーション順序におけるメディアプロセッシングユニット（ｍｅｄｉａ  ｐｒｏｃｅｓｓｉｎｇ  ｕｎｉｔ、ＭＰＵ）中の初期サンプルのプレゼンテーション時間を提供するＭＰＵ＿ｔｉｍｅｓｔａｍｐ＿ｄｅｓｃｒｉｐｔｏｒに指定された値と、プレゼンテーション順序でムービーフラグメントボックスデータ（ｍｏｖｉｅ  ｆｒａｇｍｅｎｔ  ｂｏｘ  ｄａｔａ）で知られる前記ＭＰＵの初期サンプルに対する相対的な構成時間とを組み合わせるステップを含む請求項１に記載の方法。
【請求項５】
前記プレゼンテーション時間及び前記デコーディング時間を変換するステップは、前記プレゼンテーション時間及び前記デコーディング時間を以下の式を用いて計算するステップをさらに含み、
【数１】
2018509060.tif 000001
ここで、ＴＰＣＲは９０ＫＨｚにおける現在のＰＣＲサンプル値で、ＴＵＴＣはＵＴＣにおける現在時間値で、ＰＰＣＲは９０ＫＨｚにおけるメディアデータのプレゼンテーション時間値で、ＰＵＴＣはＵＴＣのプレゼンテーション時間値、ＤＰＣＲはＰＣＲを参照する９０ＫＨｚにおけるメディアデータのデコーディング時間値で、ＤＵＴＣはＵＴＣにおけるデコーディング時間値である請求項４に記載の方法。
【請求項６】
固定レートＲＣを有するＭＭＴＰデカプセル化バッファから復元されたメディアデータを読み出すステップと、
固定レートＲＤを有する転送バッファ（ＴＢＮ）にＭＰＥＧ−２  ＴＳパケットを伝達するステップとをさらに含み、
ここで、ＲＤは、前記プレゼンテーション時間及び前記デコーディング時間の変換によって決定されるＭＰＥＧ−２  ＴＳパケットヘッダオーバーヘッドによって固定された量によってＲＣから増加された比率である請求項１に記載の方法。
【請求項７】
前記ＭＭＴＰデカプセル化バッファは次のＭＭＴＰパケットからデータが前記ＭＭＴＰデカプセル化バッファに変換のために伝達される前に１秒ごとに削除される請求項６に記載の方法。
【請求項８】
前記ＴＳパケット層の前記ＭＰＥＧ−２  ＴＳパケットフィールドの前記値を決定するステップは、
前記ＭＰＥＧ−２  ＴＳパケットが、ｆ＿ｉフィールド値として「００」又は「０１」を有する前記ＭＭＴＰパケットから変換された最初のパケットの場合、ペイロードユニット開始表示（ｐａｙｌｏａｄ＿ｕｎｉｔ＿ｓｔａｒｔ＿ｉｎｄｉｃａｔｏｒ）フィールドを「１」の値に設定するステップと、
前記ＭＰＥＧ−２  ＴＳパケットがしきい値より小さい優先順位フィールドを有するＭＭＴＰパケットから変換された場合、転送優先順位（ｔｒａｎｓｐｏｒｔ＿ｐｒｉｏｒｉｔｙ）フィールドを「１」の値に設定するステップと、
ＰＩＤフィールドを前記ＭＭＴＰパケットのｐａｃｋｅｔ＿ｉｄフィールド値に設定するステップと、
をさらに含む請求項１に記載の方法。
【請求項９】
前記アダプテーションフィールドの前記ＭＰＥＧ−２  ＴＳパケットフィールドの値を決定するステップは、
前記ＭＰＥＧ−２  ＴＳパケットが「Ｒ」フィールド値として「１」を有する前記ＭＭＴＰパケットから生成された最初のパケットの場合、ランダムアクセス表示（ｒａｎｄｏｍ＿ａｃｃｅｓｓ＿ｉｎｄｉｃａｔｏｒ）フィールドを「１」の値に設定するステップと、
前記ＭＰＥＧ−２  ＴＳパケットがしきい値より小さい優先順位フィールドを有する前記ＭＭＴＰパケットから変換された場合、エレメンタリストリーム優先順位表示（ｅｌｅｍｅｎｔａｒｙ＿ｓｔｒｅａｍ＿ｐｒｉｏｒｉｔｙ＿ｉｎｄｉｃａｔｏｒ）フィールドを「１」の値に設定するステップと、
をさらに含む請求項１に記載の方法。
【請求項１０】
前記ＰＥＳパケットの前記ＭＰＥＧ−２  ＴＳパケットフィールドの値を決定するステップは、
ストリーム識別（ｓｔｒｅａｍ＿ｉｄ）フィールドを前記ＭＭＴＰパケットのアセットタイプ（ａｓｓｅｔ＿ｔｙｐｅ）フィールド値に設定するステップと、
前記ＭＰＥＧ−２  ＴＳパケットがしきい値より小さい優先順位フィールドを有する前記ＭＭＴＰパケットから変換された場合、ＰＥＳ＿ｐｒｉｏｒｉｔｙフィールドを「１」の値に設定するステップと、
ｄａｔａ＿ａｌｉｇｎｍｅｎｔ＿ｉｎｄｉｃａｔｏｒフィールドを「１」の値に設定するステップと、
ＰＴＳフィールドをメディアデータの構成時間から算出された値に設定するステップと、
ＤＴＳフィールドを前記メディアデータの前記デコーディング時間から算出された値に設定するステップと、
をさらに含む請求項１に記載の方法。
【請求項１１】
ＭＰＥＧ（ｍｏｖｉｎｇ  ｐｉｃｔｕｒｅ  ｅｘｐｅｒｔ  ｇｒｏｕｐ）メディア伝送（ｍｅｄｉａ  ｔｒａｎｓｐｏｒｔ  ｐｒｏｔｏｃｏｌ、ＭＭＴＰ）ストリームをＭＰＥＧ−２伝送ストリーム（ｔｒａｎｓｐｏｒｔ  ｓｔｒｅａｍ、ＴＳ）に変換する装置であって、
前記ＭＭＰＴストリームのＭＭＴＰパケットを格納するように構成されたメモリと、
前記メモリに機能的に接続された処理回路と、を含み、
前記処理回路は、
ＭＭＴＰストリームのＭＭＴＰパケットに制限を適用する動作と、
プレゼンテーション時間及びデコーディング時間を協定世界時（ｃｏｏｒｄｉｎａｔｇｅｄ  ｕｎｉｖｅｒｓａｌ  ｔｉｍｅ、ＵＴＣ）ベースの絶対時間からプログラムクロック基準時間（ｐｒｏｇｒａｍ  ｃｌｏｃｋ  ｒｅｆｅｒｅｎｃｅ  ｔｉｍｅ、ＰＣＲ）ベースの値に変換する動作と、
仮想受信機バッファモデル（ｈｙｐｏｔｈｅｔｉｃａｌ  ｒｅｃｅｉｖｅｒ  ｂｕｆｆｅｒ  ｍｏｄｅｌ、ＨＲＢＭ）を使用してデータを追加又は除去することなくＭＰＥＧ−２  ＴＳ規則に基づいて前記ＭＭＴＰストリームを生成する動作と、
前記ＭＭＴＰパケットのフィールドの値に基づいてＴＳパケット層、アダプテーションフィールド及びパケット化エレメンタリストリーム（ｐａｃｋｅｔｉｚｅｄ  ｅｌｅｍｅｎｔａｒｙ  ｓｔｒｅａｍ、ＰＥＳ）パケットのＭＰＥＧ−２  ＴＳパケットフィールドの値を決定する動作と、
を行うように構成された装置。
【請求項１２】
前記ＭＭＴＰパケットに適用される制限は、前記メディアトラックデータ（ｍｅｄｉａ  ｔｒａｃｋ  ｄａｔａ）がコーデック初期化情報（ｃｏｄｅｃ  ｉｎｉｔｉａｌｉｚａｔｉｏｎ  ｉｎｆｏｒｍａｔｉｏｎ）を含む請求項１１に記載の装置。
【請求項１３】
前記ＭＭＴＰパケットに適用される制限は、前記ＭＭＴＰパケットのｐａｃｋｅｔ＿ｉｄフィールドの値が０ｘ００１０〜０ｘ１ＦＦＥまでの値のうち１つであることを含む請求項１１に記載の装置。
【請求項１４】
前記処理回路は、プレゼンテーション順序におけるメディアプロセッシングユニット（ｍｅｄｉａ  ｐｒｏｃｅｓｓｉｎｇ  ｕｎｉｔ、ＭＰＵ）中の初期サンプルのプレゼンテーション時間を提供するＭＰＵ＿ｔｉｍｅｓｔａｍｐ＿ｄｅｓｃｒｉｐｔｏｒに指定された値と、プレゼンテーション順序でムービーフラグメントボックスデータ（ｍｏｖｉｅ  ｆｒａｇｍｅｎｔ  ｂｏｘ  ｄａｔａ）で知られる前記ＭＰＵ中の初期サンプルに対する相対的な構成時間を組み合わせる動作をさらに行う請求項１１に記載の装置。
【請求項１５】
前記処理回路は、前記プレゼンテーション時間及び前記デコーディング時間を以下の式を用いて計算する動作をさらに行う、
【数２】
2018509060.tif 000002
ここで、ＴＰＣＲは９０ＫＨｚにおける現在のＰＣＲサンプル値で、ＴＵＴＣはＵＴＣにおける現在時間値で、ＰＰＣＲは９０ＫＨｚにおけるメディアデータのプレゼンテーション時間値で、ＰＵＴＣはＵＴＣのプレゼンテーション時間値、ＤＰＣＲはＰＣＲを参照する９０ＫＨｚにおけるメディアデータのデコーディング時間値で、ＤＵＴＣはＵＴＣにおけるデコーディング時間値である請求項１４に記載の装置。
【手続補正２】
【補正対象書類名】明細書
【補正対象項目名】０００２
【補正方法】変更
【補正の内容】
【０００２】
ＭＭＴＰ（ＭＰＥＧ  ｍｅｄｉａ  ｔｒａｎｓｐｏｒｔ  ｐｒｏｔｏｃｏｌ）は、異種混合ＩＰネットワーク環境を介したマルチメディアサービスのためにコーディングされたメディアデータの伝達のための技術に特化したデジタルコンテナ標準又はフォーマットである。伝達されたコーディングメディアデータは、指定された時間に特定のデータ単位の同期化されたデコーディング及びプレゼンテーション（ｐｒｅｓｅｎｔａｔｉｏｎ）を要求する視聴覚メディア、すなわちタイムドデータ（ｔｉｍｅｄ  ｄａｔａ）と、ユーザによる相互動作又はサービスのコンテキストに基づいて任意の時間にデコーディング及びプレゼンテーションされる他の類型のデータ、すなわちノンタイムドデータ（ｎｏｎ−ｔｉｍｅｄ  ｄａｔａ）と、をいずれをも含む。
【手続補正３】
【補正対象書類名】明細書
【補正対象項目名】０００３
【補正方法】変更
【補正の内容】
【０００３】
ＭＭＴＰは、スーパーハイビジョン（ｓｕｐｅｒ  ｈｉｖｉｓｉｏｎ）のために日本の放送産業によって採用され、また、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）によって次世代放送標準の開発のための標準の１つに選ばれた。ＭＰＥＧ−２  ＴＳを使用する複数の放送インフラとサービスが依然として存在するため、ＭＰＥＧ−２  ＴＳをＭＭＴＰストリームに変換する場合とその逆の場合があり得る。一例として、ＭＰＥＧ−２  ＴＳを用いるケーブルＴＶサービスにＭＭＴＰに基づく地上波放送コンテンツを再分配する場合がある。
【手続補正４】
【補正対象書類名】明細書
【補正対象項目名】０００５
【補正方法】変更
【補正の内容】
【０００５】
一実施形態によれば、ＭＭＴＰストリームをＭＰＥＧ−２  ＴＳに変換する方法が提供される。この方法は、ＭＭＴＰストリームのＭＭＴＰパケットに制限を適用するステップを含む。また、プレゼンテーション時間及びデコーディング時間を協定世界時（ｃｏｏｒｄｉｎａｔｇｅｄ  ｕｎｉｖｅｒｓａｌ  ｔｉｍｅ、ＵＴＣ）ベースの絶対時間からプログラムクロック基準時間（ｐｒｏｇｒａｍ  ｃｌｏｃｋ  ｒｅｆｅｒｅｎｃｅ  ｔｉｍｅ、ＰＣＲ）ベースの値に変換するステップを含む。この方法は、また、ＭＭＴＰストリームをＭＰＥＧ−２  ＴＳに変換する際、仮想受信機バッファモデル（ｈｙｐｏｔｈｅｔｉｃａｌ  ｒｅｃｅｉｖｅｒ  ｂｕｆｆｅｒ  ｍｏｄｅｌ、ＨＲＢＭ）を使用してデータを追加又は除去しない場合のＭＰＥＧ−２  ＴＳ規則に基づいてＭＭＴＰストリームを生成する。また、この方法は、ＭＭＴＰパケット値からＴＳパケット層、アダプテーションフィールド及びパケット化エレメンタリストリーム（ｐａｃｋｅｔｉｚｅｄ  ｅｌｅｍｅｎｔａｒｙ  ｓｔｒｅａｍ、ＰＥＳ）パケットのＭＰＥＧ−２  ＴＳパケットフィールド値を決定するステップを含む。
【手続補正５】
【補正対象書類名】明細書
【補正対象項目名】０００６
【補正方法】変更
【補正の内容】
【０００６】
他の実施形態によれば、ＭＭＴＰストリームをＭＰＥＧ−２  ＴＳに変換する装置が提供される。この装置は、ＭＭＴＰストリームのためのＭＭＴＰパケットに制限を適用する処理回路（ｐｒｏｃｅｓｓｉｎｇ  ｃｉｒｃｕｉｔ）を含む。処理回路は、また、プレゼンテーション時間及びデコーディング時間を協定世界時（ｃｏｏｒｄｉｎａｔｅｄ  ｕｎｉｖｅｒｓａｌ  ｔｉｍｅ、ＵＴＣ）ベースの絶対時間からプログラムクロック基準時間（ｐｒｏｇｒａｍ  ｃｌｏｃｋ  ｒｅｆｅｒｅｎｃｅ  ｔｉｍｅ、ＰＣＲ）ベースの値に変換する。処理回路は、また、ＭＭＴＰストリームをＭＰＥＧ−２  ＴＳに変換する際、仮想受信機バッファモデル（ｈｙｐｏｔｈｅｔｉｃａｌ  ｒｅｃｅｉｖｅｒ  ｂｕｆｆｅｒ  ｍｏｄｅｌ、ＨＲＢＭ）を使用してデータを追加又は除去しない場合のＭＰＥＧ−２  ＴＳ規則に基づいてＭＭＴＰストリームを生成する。さらに、処理回路は、ＭＭＴＰパケット値からＴＳパケット層、アダプテーションフィールド及びパケット化エレメンタリストリーム（ｐａｃｋｅｔｉｚｅｄ  ｅｌｅｍｅｎｔａｒｙ  ｓｔｒｅａｍ、ＰＥＳ）パケットのＭＰＥＧ−２  ＴＳパケットフィールド値を決定する。
【手続補正６】
【補正対象書類名】明細書
【補正対象項目名】００１１
【補正方法】変更
【補正の内容】
【００１１】
多様な実施形態によれば、ＭＰＥＧ（ｍｏｖｉｎｇ  ｐｉｃｔｕｒｅ  ｅｘｐｅｒｔ  ｇｒｏｕｐ）メディア伝送（ｍｅｄｉａ  ｔｒａｎｓｐｏｒｔ  ｐｒｏｔｏｃｏｌ、ＭＭＴＰ）ストリームをＭＰＥＧ−２伝送ストリーム（ＴＳ）に変換する方法が提供される。本開示及びその利点に対するより完全な理解のために、以下、添付図面を参照して説明され、類似の符号は類似の部分を示す。
【手続補正７】
【補正対象書類名】明細書
【補正対象項目名】００２９
【補正方法】変更
【補正の内容】
【００２９】
図３に示すように、クライアント装置３００は、アンテナ３０５、無線（ＲＦ）送受信
機３１０、送信（ＴＸ）処理回路３１５、マイクロホン３２０、及び受信（ＲＸ）処理回
路３２５を含む。クライアント装置３００は、スピーカ３３０、１つ以上のプロセッサ３
４０、入力／出力（Ｉ／Ｏ）インタフェース（ＩＦ）３４５、タッチスクリーン３５０、
ディスプレイ３５５、メモリ３６０を含む。メモリ３６０は、基本オペレーティングシス
テム（ｏｐｅｒａｔｉｎｇ  ｓｙｓｔｅｍ、ＯＳ）３６１及び１つ以上のアプリケーショ
ン３６３を含む。
【手続補正８】
【補正対象書類名】明細書
【補正対象項目名】００３３
【補正方法】変更
【補正の内容】
【００３３】
プロセッサ３４０は、ＭＭＴＰストリームをＭＰＥＧ−２  ＴＳに変換する動作のようなメモリ３６０に常駐するプログラム及びその他プロセスを実行することもできる。プロセッサ３４０は、実行プロセスにより要求されたように、メモリ３６０に又はメモリ３６０からデータを入力又は出力して移動させることができる。一部の実施形態で、プロセッサ３４０は、ＯＳプログラム３６１に基づいて又は外部装置又はオペレータから受信した信号に応じて、アプリケーション３６３を実行するように構成される。プロセッサ３４０は、ラップトップコンピュータ及び携帯用（ｈａｎｄｈｅｌｄ）コンピュータのような他の装置に接続する機能をクライアント装置３００に提供するＩ／Ｏインタフェース３４５とも接続される。Ｉ／Ｏインタフェース３４５は、補助装置とプロセッサ３４０の間の通信経路である。
【手続補正９】
【補正対象書類名】明細書
【補正対象項目名】００３７
【補正方法】変更
【補正の内容】
【００３７】
上述のように、ＭＰＥＧ（ｍｏｖｉｎｇ  ｐｉｃｔｕｒｅ  ｅｘｐｅｒｔ  ｇｒｏｕｐ）メディア伝送（ｍｅｄｉａ  ｔｒａｎｓｐｏｒｔ  ｐｒｏｔｏｃｏｌ、ＭＭＴＰ）ストリームをＭＰＥＧ−２伝送ストリーム（ｔｒａｎｓｐｏｒｔ  ｓｔｒｅａｍ、ＴＳ）に変換する装置は、ＭＭＰＴストリームに関するＭＭＴＰパケットを格納するように構成されたメモリ、メモリに機能的に接続された処理回路を含み、処理回路は、ＭＭＴＰストリームのＭＭＴＰパケットに制限を適用し、プレゼンテーション時間及びデコーディング時間を協定世界時（ｃｏｏｒｄｉｎａｔｇｅｄ  ｕｎｉｖｅｒｓａｌ  ｔｉｍｅ、ＵＴＣ）ベースの絶対時間からプログラムクロック基準時間（ｐｒｏｇｒａｍ  ｃｌｏｃｋ  ｒｅｆｅｒｅｎｃｅ  ｔｉｍｅ、ＰＣＲ）ベースの値に変換し、ＭＭＴＰストリームをＭＰＥＧ−２  ＴＳに変換する際、仮想受信機バッファモデル（ｈｙｐｏｔｈｅｔｉｃａｌ  ｒｅｃｅｉｖｅｒ  ｂｕｆｆｅｒ  ｍｏｄｅｌ、ＨＲＢＭ）を使用してデータを追加又は除去することなくＭＰＥＧ−２  ＴＳ規則に基づいてＭＭＴＰストリームを生成し、ＭＭＴＰパケットの値からＴＳパケット層、アダプテーションフィールド及びパケット化エレメンタリストリーム（ｐａｃｋｅｔｉｚｅｄ  ｅｌｅｍｅｎｔａｒｙ  ｓｔｒｅａｍ、ＰＥＳ）パケットらのＭＰＥＧ−２  ＴＳパケットフィールド値を決定する。
【手続補正１０】
【補正対象書類名】明細書
【補正対象項目名】００４９
【補正方法】変更
【補正の内容】
【００４９】
ＭＰＵフォーマット認識モード（ｆｏｒｍａｔ−ａｗａｒｅ  ｍｏｄｅ）におけるパケット化の手順は、ＭＰＵでデータの互いに異なるタイプの境界（ｂｏｕｎｄａｒｉｅｓ）を考慮して、ＭＰＵモードを利用してパケットを生成する。生成されたパケットは、ＭＰＵメタデータ、ムービーフラグメントメタデータ（ｍｏｖｉｅ  ｆｒａｇｍｅｎｔ  ｍｅｔａｄａｔａ）、又はＭＦＵの伝送データユニットを運搬する。生成されたパケットは、伝送データユニットの２つ以上の互いに異なるタイプを運搬することはできない。ＭＰＵメタデータの伝送データユニットは、ＤＵ＿ｔｙｐｅ  ０ｘ０１に割り当てられる。ＭＰＵメタデータは、「ｆｔｙｐ」ボックス、「ｍｍｐｕ」ボックス、「ＭＯＯＶ」ボックス、そして全ＭＰＵに適用される他のボックスを含む。ムービーフラグメントメタデータの伝送データ単位は、「ｍｏｏｖ」ボックスと（メディアデータを除く）「ｍｄａｔ」ボックスヘッダで構成され、ＤＵ＿ｔｙｐｅ  ０ｘ０２に割り当てられる。その後、メディアデータ、すなわち、ＭＰＵのｍｄａｔボックスのＭＦＵは、フォーマット認識方式でＭＦＵの多重伝送データ単位に分割される。これは、例えば、ＭＭＴＰヒントトラックの補助を受けて行うことができる。ＭＦＵは、１）メディアデータのみ、２）シーケンス番号を有するメディアデータ、さらには、３）一部の制御情報を有するメディアデータ、を含むことができる。各ＭＦＵは、シンタックス（ｓｙｎｔａｘ）とセマンティックス（ｓｅｍａｎｔｉｃｓ）を有するＭＦＵヘッダを付加する。ＭＦＵヘッダの後にＭＦＵのメディアデータが続く。
【手続補正１１】
【補正対象書類名】明細書
【補正対象項目名】００５９
【補正方法】変更
【補正の内容】
【００５９】
動作６１５にて、システムは、ＭＰＥＧ−２  ＴＳに変換される際には、ＭＰＥＧ−２  ＴＳ規則に従うように、ＨＲＢＭを用いてデータを追加又は除去することなくＭＭＴＰストリームを構成する。ＭＰＥＧ−２  ＴＳはＭＰＥＧ−２  Ｔ−ＳＴＤに関する規則に従うので、ＭＭＴＰストリームは、当該ＭＭＴＰストリームから変換されたＭＰＥＧ−２  ＴＳがＭＰＥＧ−２  ＴＳの規則に従うよう、ＭＭＴＰのＨＲＢＭを使用してデータを追加又は除去することなく構成されるべきである。ＨＲＢＭはＭＭＴＰパケット間の距離を精密に制御することを可能にするので、換言すれば、ＨＲＢＭバッファに接続された次のエンティティに各ＭＭＴＰパケットのメディアデータが利用可能な場合、ＭＭＴＰストリームは、ＨＲＢＭを使用して各ＭＭＴＰパケットのタイムスタンプを適切に決定することによってこのような要求事項を満足させるように構成される。ＨＲＢＭとＭＰＥＧ−２  Ｔ−ＳＴＤの関係は、図５のように概念的に表すことができる。図５において、ＭＭＴＰのＭＰＥＧ−２  ＴＳコンバータによって付加される処理遅延はない。ＭＭＴＰのＭＰＥＧ−２  ＴＳコンバータは、固定レートＲＣを有するＭＭＴＰデカプセル化バッファから復元されたメディアデータを読み出して、固定レートＲＤを有するＴＢＮにＭＰＥＧ−２パケットを伝送する。ここで、ＲＤは、変換動作に応じて導入されたＭＰＥＧ−２  ＴＳパケットヘッダオーバーヘッドによる固定量だけＲＣから増加したレートである。ＴＢｎは１秒ごとに空となる必要があるので、次のＭＭＴＰパケットからデータがＭＭＴＰデカプセル化バッファに伝達される前に、１秒ごとにＭＭＴＰデカプセル化バッファには変換動作のために利用可能なメディアデータは残っていない。